(57)【要約】【課題】  複雑な映像の輪郭補正を行う場合に不自然な輪郭補正を行うことを防ぐことができる輪郭補正回路及び撮像装置を提供する。【解決手段】  加算器１０８、１０９は、水平バンドパスフィルタ１０２、垂直バンドパスフィルタ１０３、斜めバンドパスフィルタ１０４の出力するエッジ信号Ｙｈ、Ｙｖ、Ｙｄを加算してエッジ信号Ｙｍｉｘを生成する。最大値検出回路１１０は、エッジ信号Ｙｈ、Ｙｖ、Ｙｄにおける画素毎の最大値を検出して最大値信号Ｙｍａｘを生成する。最小値検出回路１１１は、エッジ信号Ｙｈ、Ｙｖ、Ｙｄにおける画素毎の最小値を検出して最小値信号Ｙｍｉｎを生成する。加重平均回路１１６は、エッジ信号Ｙｍｉｘの値に応じて重み付け係数を定め、エッジ信号Ｙｍｉｘ及び最大値信号Ｙｍａｘまたは最小値信号Ｙｍｉｎを重み付け係数に応じて加算して補正信号Ｙｅｎｈａｎｃｅを出力する。【選択図】  図１
2005142832.tif 000002
【特許請求の範囲】
【請求項１】
画素単位でサンプリングされたディジタル画像信号の高周波数成分を抽出して高周波信号を出力する複数のバンドパスフィルタと、
前記複数のバンドパスフィルタの高周波信号群を加算して第１の高周波信号を生成する加算手段と、
前記高周波信号群における前記サンプリング毎の最大値を検出して第２の高周波信号を生成する最大値検出手段と、
前記高周波信号群における前記サンプリング毎の最小値を検出して第３の高周波信号を生成する最小値検出手段と、
前記第１の高周波信号の値に応じて前記第１の高周波信号、前記第２の高周波信号及び前記第３の高周波信号に対する重み付けを定め、前記第１の高周波信号と前記第２の高周波信号または前記第３の高周波信号を前記重み付けに応じて加算して第４の高周波信号を生成する重み付け加算手段と
を具備することを特徴とする輪郭補正回路。
【請求項２】
前記重み付け加算手段は、前記第１の高周波信号が正の値の場合には、前記第１の高周波信号と前記第２の高周波信号を前記重み付けに応じて加算し、前記第１の高周波信号が負の値の場合には、前記第１の高周波信号と前記第３の高周波信号を前記重み付けに応じて加算することで前記第４の高周波信号を生成することを特徴とする請求項１に記載の輪郭補正回路。
【請求項３】
前記重み付け加算手段は、前記第１の高周波信号が正の値の場合には、前記第１の高周波信号と前記第２の高周波信号の差分に応じて前記重み付けを定め、前記第１の高周波信号と前記第２の高周波信号を前記重み付けに応じて加算し、前記第１の高周波信号が負の値の場合には、前記第１の高周波信号と前記第３の高周波信号の差分に応じて前記重み付けを定め、前記第１の高周波信号と前記第３の高周波信号を前記重み付けに応じて加算することで前記第４の高周波信号を生成することを特徴とする請求項１に記載の輪郭補正回路。
【請求項４】
前記重み付け加算手段は、前記第１の高周波信号が正の値の場合には、前記差分の増加に応じて前記第１の高周波信号に対する重み付けを前記第２の高周波信号に対する重み付けよりも減少させ、前記第１の高周波信号が負の値の場合には、前記差分の増加に応じて前記第１の高周波信号に対する重み付けを前記第３の高周波信号に対する重み付けよりも減少させる特性となるよう前記重み付けを定めることを特徴とする請求項３に記載の輪郭補正回路。
【請求項５】
前記バンドパスフィルタの種類は、前記ディジタル画像信号により形成される画像に対して高周波数成分を抽出する方向の違いにより定まることを特徴とする請求項１〜４のいずれか１項に記載の輪郭補正回路。
【請求項６】
請求項１〜５のいずれか１項に記載の輪郭補正回路を具備する撮像装置。
【発明の詳細な説明】
【技術分野】
【０００１】
本発明は、撮像素子により撮像した撮像信号に対して輪郭補正を行う輪郭補正回路及びその輪郭補正回路を備える撮像装置に関するものである。
【背景技術】
【０００２】
図４は、輪郭補正を行なう輪郭補正回路を備えた撮像装置の概略構成を示すブロック図である。図４において、レンズ４０１および光学フィルタ４０２は、被写体（不図示）の象を撮像素子４０３の撮像面上に結像する。ここで光学フィルタ４０２とは、例えば光学ローパスフィルタと赤外線カットフィルタを含む光学フィルタである。ここで、撮像素子４０３とは、例えば、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサである。尚、本実施形態における撮像素子４０３は、ＲＧＢ（赤、緑、青）の色フィルタを有する撮像素子とするが、これに限定されるものではない。
【０００３】
Ａ／Ｄ（アナログ／ディジタル）変換器４０４は、撮像素子４０３が出力する出力信号（アナログ信号）をディジタル信号（以下、撮像データとする）に変換するアナログ−ディジタル（Ａ／Ｄ）変換を行う。ＯＢ（オプティカル  ブラック）回路４０５は、Ａ／Ｄ変換後の撮像データに対して黒引き（黒部分の調整）を実施する。ＷＢ（ホワイト  バランス）回路４０６は、ＯＢ回路４０５が出力する撮像データに対してホワイトバランス処理を行う。色補間回路４０７は、ＷＢ回路４０６の出力する撮像データに対して各色画素毎に補間演算を行う。色変換ＭＴＸ回路４０８は、色補間回路４０７が出力する補間演算後の撮像データ（ＲＧＢ）に対してＲＧＢ信号からＹＵＶ信号へ変換する処理を行う。ここでＹＵＶ信号とは、輝度信号（Ｙ信号）と、輝度信号と赤色成分の差の信号（Ｕ信号）と、輝度信号と青色成分の差の信号（Ｖ信号）からなる信号である。
【０００４】
その後、ＣＳｕｐ回路（色抑圧回路）４０９にて色変換ＭＴＸ回路４０８が出力するＹＵＶ信号に対して飽和部領域の色消し処理を行う。次に、ＵＶＧａｉｎ回路４１０は、ＣＳｕｐ回路４０９が出力するＹＵＶ信号のＵ信号とＶ信号のそれぞれに任意のゲインを独立にかける。
【０００５】
一方、ＷＢ回路４０６が出力した撮像データはＹ信号（輝度信号）作成回路４１２へも入力され、Ｙ信号作成回路４１２は、この撮像データに対して補間演算などを施し輝度信号に変換する。その後、輪郭補正回路４１３は、Ｙ信号作成回路４１２が出力する輝度信号に対して輪郭強調などの輪郭補正処理を行う。
【０００６】
次に、ＣｏｎｖＲＧＢ回路４１１は、ＵＶＧａｉｎ回路４１０の出力信号であるＵＶ信号と輪郭補正回路４１３の出力信号である輝度信号を用いて、ＲＧＢデータに変換する。次に、ガンマ補正回路４１４は、ＣｏｎｖＲＧＢ回路４１１が出力するＲＧＢデータに対してガンマ補正を行う。次に、ＪＰＧ変換回路４１５は、ガンマ補正回路４１４が出力するＲＧＢデータをＪＰＥＧ（Ｊｏｉｎｔ  Ｐｈｏｔｏｇｒａｐｈｉｃ  Ｅｘｐｅｒｔｓ  Ｇｒｏｕｐ）形式の画像データであるＪＰＥＧ画像データに変換して出力する。尚、図４には示していないが、ＪＰＧ変換回路４１５が出力するＪＰＥＧ画像データは例えば撮像装置に着脱可能な記録メディアに記録される。
【０００７】
図５は、輪郭補正回路４１３の従来の回路構成を示すブロック図である。図５において、輝度信号作成回路５０１は、Ｙ信号作成回路４１２が出力する輝度信号を基にメイン輝度信号を作成して出力する。次に、水平バンドパスフィルタ５０２は、輝度信号作成回路５０１が出力するメイン輝度信号に対して水平方向のエッジ成分を検出して、水平エッジ信号を出力する。その後ゲイン回路５０５は、水平バンドパスフィルタ５０２が出力する水平エッジ信号に対して任意のゲインをかけることによって振幅調整を実施する。
【０００８】
同様に、垂直バンドパスフィルタ５０３及び斜めバンドパスフィルタ５０４も同様の処理によって、メイン輝度信号に対してそれぞれの方向のエッジ成分を検出して、垂直エッジ信号及び斜めエッジ信号を出力する。また、ゲイン回路５０６及びゲイン回路５０７は、垂直エッジ信号及び斜めエッジ信号の振幅調整を行う。
【０００９】
次に、加算器５０８、５０９により、水平エッジ信号と垂直エッジ信号と、斜めエッジ信号を加算して輪郭補正信号を出力する。次に、ゲイン回路５１０は、加算後の輪郭補正信号の振幅調整を行う。最後に、加算回路５１１は、輝度信号作成回路５０１が出力するメイン輝度信号とゲイン回路５１０が出力する輪郭補正信号とを加算することで、輪郭補正後の輝度信号を出力する。
【００１０】
例えば、隣接する画素間の色相差を検出する色エッジ検出回路と、色エッジ検出回路により検出された色相差に基づいて決定したゲインにより輝度信号を増幅して、画像のエッジを強調することで、色エッジジャギがエッジ強調により強調されてしまうことを大幅に低減し、高品位な輝度信号を作成することができる信号処理装置に関する技術が開示されている（例えば、特許文献１参照。）。
【００１１】
【特許文献１】特開２００２−０１０２８９号公報
【発明の開示】
【発明が解決しようとする課題】
【００１２】
しかしながら、上述した従来の輪郭補正回路４１３では、水平、垂直、斜めの各方向のエッジ信号が加算され最終のエッジ信号が作成されるため、各方向のエッジ信号の振幅がそれぞれ大きい場合には、互いに重複されるため、最終のエッジ信号の振幅が異常に大きくなってしまうという問題がある。その結果、被写体の模様によってはエッジの強弱が異なり、輪郭補正後の画像が画質劣化してしまう大きな要因となっていた。ここで、上述した問題が発生する空間周波数上の領域について説明する。図６は、空間周波数領域において水平エッジ信号、垂直エッジ信号、斜めエッジ信号が占める領域を示す図である。尚、図６において、横軸が水平方向の空間周波数軸であり、縦軸が垂直方向の空間周波数軸であり、原点に近づくほど低周波数である。また、図６において、水平バンドパスフィルタ５０２によって検出される領域がＨ、垂直バンドバスフィルタ５０３によって検出される領域がＶ、斜めバンドパスフィルタ５０４によって検出される領域がＤとする。図６において、例えば、矢印ａで示す領域における矢印方向の水平エッジ信号と斜めエッジ信号は重なり合ってしまうので、上述した問題が発生する。
【００１３】
図７は、図６の矢印ａの部分における異常に大きな振幅のエッジ信号の生成例を示す図である。図７において、水平エッジ信号７０１Ｈは、図６の矢印ａの領域における水平バンドパスフィルタ５０２が出力する水平エッジ信号例であり、斜めエッジ信号７０２Ｄは、図６の矢印ａの領域における斜めバンドパスフィルタ５０４が出力する斜めエッジ信号例である。この場合（垂直エッジ信号は振幅０とする）、最終のエッジ信号７０３Ｍｉｘの最大振幅は、図７に示すように、異常に大きな振幅となってしまう。これにより、異常に大きな振幅の補正信号で補正することを原因とする不自然な輪郭補正が行われるという問題がある。
【００１４】
本発明は、上述した事情を考慮してなされたもので、複雑な映像の輪郭補正を行う場合に不自然な輪郭補正を行うことを防ぐことができる輪郭補正回路及び撮像装置を提供することを目的とする。
【課題を解決するための手段】
【００１５】
この発明は、上述した課題を解決すべくなされたもので、本発明による輪郭補正回路においては、画素単位でサンプリングされたディジタル画像信号の高周波数成分を抽出して高周波信号を出力する複数のバンドパスフィルタと、複数のバンドパスフィルタの高周波信号群を加算して第１の高周波信号を生成する加算手段と、高周波信号群におけるサンプリング毎の最大値を検出して第２の高周波信号を生成する最大値検出手段と、高周波信号群におけるサンプリング毎の最小値を検出して第３の高周波信号を生成する最小値検出手段と、第１の高周波信号の値に応じて第１の高周波信号、第２の高周波信号及び第３の高周波信号に対する重み付けを定め、第１の高周波信号と第２の高周波信号または第３の高周波信号を重み付けに応じて加算して第４の高周波信号を生成する重み付け加算手段とを具備することを特徴とする。
【００１６】
また、本発明による撮像装置においては、上記輪郭補正回路を具備することを特徴とする。
【発明の効果】
【００１７】
本発明による輪郭補正回路及び撮像装置は、高周波信号を抽出する複数のバンドパスフィルタが出力する高周波信号群を加算して第１の高周波信号を生成し、それら高周波信号群における画素（サンプリング）毎の最大値を検出して第２の高周波信号を生成し、それら高周波信号群における画素（サンプリング）毎の最小値を検出して第３の高周波信号を生成し、第１の高周波信号の値に応じて第１の高周波信号、第２の高周波信号及び第３の高周波信号に対する重み付けを定め、第１の高周波信号と第２の高周波信号または第３の高周波信号を重み付けに応じて加算して第４の高周波信号を生成するので、例えば第１の高周波信号が異常に大きな値である場合には、第１の高周波信号の重み付けを低く定め、第２の高周波信号または第３の高周波信号に重み付けを高く定めることで、重み付けに応じて加算した第４の高周波信号は、異常に大きくない値とすることができる。これにより、複雑な映像の輪郭補正を行う場合に、異常に大きな補正信号で補正することが原因で不自然な輪郭補正を行うことを防ぐことができる。
【発明を実施するための最良の形態】
【００１８】
以下、図面を用いて本発明の実施形態について説明する。
まず、本発明の一実施形態である撮像装置の輪郭補正回路の概略構成について説明する。図１は、本発明の一実施形態である輪郭補正回路の概略構成を示す図である。なお、この図１に示す本実施形態の輪郭補正回路は、例えば図４に示した撮像装置に適用することが可能である。すなわち、図４に示した撮像装置の輪郭補正回路４１３の回路構成が図１に示す構成であれば、当該撮像装置は、本発明の一実施形態における撮像装置である。以下、図１の輪郭補正回路を図４の輪郭補正回路４１３として説明する。
【００１９】
１０１は、輝度信号作成回路であり、図４のＹ信号作成回路４１２が出力する輝度信号を基にメイン輝度信号を作成して出力する。１０２は、水平バンドパスフィルタであり、輝度信号作成回路１０１が出力するメイン輝度信号に対して水平方向のエッジ成分を検出して、水平エッジ信号を出力する。１０３は、垂直バンドパスフィルタであり、輝度信号作成回路１０１が出力するメイン輝度信号に対して垂直方向のエッジ成分を検出して、垂直エッジ信号を出力する。１０４は、斜めバンドパスフィルタであり、輝度信号作成回路１０１が出力するメイン輝度信号に対して斜め方向のエッジ成分を検出して、斜めエッジ信号を出力する。
【００２０】
１０５は、ゲイン回路であり、水平バンドパスフィルタ１０２が出力する水平エッジ信号に対して任意のゲインをかけることによって振幅調整を実施し、振幅調整後の水平エッジ信号Ｙｈを出力する。同様に１０６及び１０７は、ゲイン回路であり、垂直バンドパスフィルタ１０３及び斜めバンドパスフィルタ１０４が出力する垂直エッジ信号及び斜めエッジ信号に対して任意のゲインをかけることによって振幅調整を実施し、振幅調整後の垂直エッジ信号Ｙｖ及び斜めエッジ信号Ｙｄを出力する。
【００２１】
１０８は、加算器であり、水平エッジ信号Ｙｈと垂直エッジ信号Ｙｖを加算する。１０９は、加算器であり、加算器１０８の出力と斜めエッジ信号Ｙｄを加算して、エッジ信号Ｙｍｉｘを出力する。すなわち、加算器１０８、１０９により、下記の（式１）に示すような水平エッジ信号Ｙｈ、垂直エッジ信号Ｙｖ及び斜めエッジ信号Ｙｄを加算する処理を行い、エッジ信号Ｙｍｉｘを出力する。
Ｙｍｉｘ  ＝  Ｙｈ ＋ Ｙｖ ＋ Ｙｄ    （式１）
【００２２】
１１０は、最大値検出回路であり、水平エッジ信号Ｙｈ、垂直エッジ信号Ｙｖ及び斜めエッジ信号Ｙｄの中から画素毎の最大の値を検出して、最大値信号Ｙｍａｘを出力する。１１１は、最小値検出回路であり、水平エッジ信号Ｙｈ、垂直エッジ信号Ｙｖ及び斜めエッジ信号Ｙｄの中から画素毎の最小の値を検出して、最小値信号Ｙｍｉｎを出力する。１１２は、ゲイン回路であり、最大値信号Ｙｍａｘの振幅調整を行う。１１３は、ゲイン回路であり、最小値信号Ｙｍｉｎの振幅調整を行う。１１４は、選択回路であり、エッジ信号Ｙｍｉｘが正の場合はゲイン回路１１２が出力する振幅調整後の最大値信号Ｙｍａｘを選択して選択信号Ｙｓｅｌとして出力し、エッジ信号Ｙｍｉｘが負の場合はゲイン回路１１３が出力する振幅調整後の最小値信号Ｙｍｉｎを選択して選択信号Ｙｓｅｌとして出力する。
【００２３】
１１５は、減算器であり、エッジ信号Ｙｍｉｘから選択信号Ｙｓｅｌを減算して、差分信号Ｙｄｉｆｆを出力する。尚、本実施形態においては、差分信号Ｙｄｉｆｆはエッジ信号Ｙｍｉｘと選択信号Ｙｓｅｌの差分の絶対値となる信号である。
【００２４】
１１６は、加重平均回路であり、差分信号Ｙｄｉｆｆを用いて、エッジ信号（第１の高周波信号）Ｙｍｉｘと選択信号（第２の高周波信号）Ｙｓｅｌを加重平均して、補正信号Ｙｅｎｈａｎｃｅ出力する。具体的には、加重平均回路１１６は、差分信号Ｙｄｉｆｆを用いて加重加算係数α（０≦α≦１）を算出するための、図３に示すような入出力特性を持つ加重加算係数算出回路（図示せず）を具備している。この加重加算係数算出回路は、エッジ信号Ｙｍｉｘと選択信号Ｙｓｅｌを加算する比率（以下、加算比率とする）を定める加重加算係数αを、差分信号Ｙｄｉｆｆに応じて算出する。図３に示すように、加重加算係数算出回路は、差分信号Ｙｄｉｆｆの値が大きいほど加重加算係数αの値が１または１に近い値となるよう加重加算係数αを算出し、差分信号Ｙｄｉｆｆの値が小さいほど加重加算係数αの値が０または０に近い値となるよう加重加算係数αを算出する。そして、加重平均回路１１６は、差分信号Ｙｄｉｆｆを基に算出した加重加算係数αと、エッジ信号Ｙｍｉｘ及び選択信号Ｙｓｅｌを用いて以下の（式２）を計算することで、補正信号Ｙｅｎｈａｎｃｅを出力する。
Ｙｅｎｈａｎｃｅ  ＝  Ｙｓｅｌ×α＋Ｙｍｉｘ×（１−α）  …  （式２）
【００２５】
すなわち、加重平均回路１１６は、差分信号Ｙｄｉｆｆが大きい場合は、例えば図６のａに示すように各バンドパスフィルタの出力が重なりあっている領域でエッジ信号Ｙｍｉｘが異常に大きくなりすぎていると判断して、例えば加重加算係数α＝１．０として（式２）を計算して補正信号Ｙｅｎｈａｎｃｅを算出する。これにより、補正信号Ｙｅｎｈａｎｃｅは、選択信号Ｙｓｅｌの加算比率が大きく、エッジ信号Ｙｍｉｘの加重比率が小さいので、異常に大きくなりすぎているエッジ信号Ｙｍｉｘの影響を受けない値とすることができる。また、差分信号Ｙｄｉｆｆが小さい場合は、加重平均回路１１６は、例えば各バンドパスフィルタの出力が独立している領域、または、各バンドパスフィルタの出力が重複している領域であってもエッジ信号Ｙｍｉｘが小振幅であると判断して、例えば加重加算係数α＝０．０として（式２）を計算して補正信号Ｙｅｎｈａｎｃｅを算出する。この場合は、補正信号Ｙｅｎｈａｎｃｅは、選択信号Ｙｓｅｌの加算比率が小さく、エッジ信号Ｙｍｉｘの加重比率が大きいので、エッジ信号Ｙｍｉｘの値を利用して効果的な輪郭補正を行うことができる。
【００２６】
尚、加重加算係数算出回路の入出力特性は図３に示す特性に限定されるものではなく、差分信号Ｙｄｉｆｆの値が大きいほど加重加算係数αの値が１に近い値となり、差分信号Ｙｄｉｆｆの値が小さいほど加重加算係数αの値が０に近い値となるように加重加算係数αを算出するような入出力特性であってもよい。
【００２７】
次に、図１に示した輪郭補正回路４１３の動作について、具体的な信号波形例を示す図２−１及び図２−２を用いて説明する。図２−１及び図２−２は、図１に示した輪郭補正回路４１３の各ブロックにおける出力信号波形例を示す図である。なお、図２−１及び図２−２に示す信号波形例は、例えば図６の矢印ａの周波数領域における縦シマ被写体を撮像した場合の輝度信号が輪郭補正回路４１３に入力され処理される際の信号波形例について示している（垂直バンドパスフィルタ１０３の出力は０である。）。また、図２−１及び図２−２に示すように、輝度信号および輝度信号を処理した各種信号はディジタル信号であり、画素毎にサンプリングされた離散値から成る信号である。
【００２８】
図２−１において、２０１は、水平バンドパスフィルタ１０２の出力信号の振幅を調整したゲイン１０５が出力する水平エッジ信号Ｙｈの信号波形を示している。２０２は、斜めバンドパスフィルタ１０４の出力信号の振幅を調整したゲイン１０７が出力する斜めエッジ信号Ｙｄの信号波形を示している。図２−２の２０３は、加算回路１０８、１０９によって水平エッジ信号Ｙｈの信号波形２０１と斜めエッジ信号Ｙｄの信号波形２０２が加算されることで生成されるエッジ信号Ｙｍｉｘ（第１の高周波信号）の信号波形を示す。
【００２９】
また、図２−１の２０４は、信号波形２０１及び信号波形２０２から最大値を検出する最大値検出回路１１０が出力する最大値信号Ｙｍａｘの信号波形を示す。２０５は、信号波形２０１及び信号波形２０２から最小値を検出する最小値検出回路１１１が出力する最小値信号Ｙｍｉｎの信号波形を示す。２０６は、最大値信号Ｙｍａｘの振幅を調整後にゲイン回路１１２が出力する信号の信号波形を示す。２０７は、最小値信号Ｙｍｉｎの振幅を調整後にゲイン回路１１３が出力する信号の信号波形を示す。
【００３０】
次に、選択回路１１４によってエッジ信号Ｙｍｉｘが正の場合は信号波形２０６が選択され、エッジ信号Ｙｍｉｘが負の場合は信号波形２０７が選択される。図２−２の２０８は、この選択回路１１４が出力する選択信号Ｙｓｅｌの信号波形を示す。信号波形２０８に示すように、選択信号Ｙｓｅｌは、各バンドパスフィルタが出力する信号の最大値および最小値を組み合わせた信号である。
【００３１】
次に、減算器１１５は、エッジ信号Ｙｍｉｘの信号波形２０３と選択信号Ｙｓｅｌの信号波形２０８との差分の絶対値である差分信号Ｙｄｉｆｆを生成する。次に、加重平均回路１１６は、差分信号Ｙｄｉｆｆの値を基に、エッジ信号Ｙｍｉｘおよび選択信号Ｙｓｅｌを加重平均する処理を行い信号波形２０９に示す補正信号Ｙｅｎｈａｎｃｅを出力する。この信号波形２０９に示されるように、信号波形２０３においてエッジ信号Ｙｍｉｘが異常に大きな値をとる場合は、信号波形２０８の選択信号Ｙｓｅｌの値に等しいまたは近い値（異常に大きくない値）を出力することができる。
【００３２】
なお、撮像装置の概略構成は図４に示す限りではなく、輝度信号やＲＧＢ信号などの画像信号に対して輪郭補正回路により輪郭補正可能な構成であればよい。また、輪郭補正を行う対象も、輝度信号に限らず、ＲＧＢ信号や補色信号などに対する輪郭補正にたいしても適用可能である。また、図１に示した輪郭補正回路４１３においては、３種類のバンドパスフィルタを備える構成を示したが、この限りではなく、少なくとも２種類のバンドパスフィルタを備える構成であればよい。また、図１に示した輪郭補正回路４１３には、種々の箇所にゲイン回路を設けてあるが、振幅調整の必要がなければ任意のゲイン回路を省いても構わない。
【００３３】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３４】
【図１】本発明の一実施形態である輪郭補正回路の概略構成を示す図である。
【図２−１】図１に示した輪郭補正回路４１３の各ブロックにおける出力信号波形例を示す図である。
【図２−２】図１に示した輪郭補正回路４１３の各ブロックにおける出力信号波形例を示す図である。
【図３】加重平均回路１１６が備える加重加算係数算出回路の入出力特性を示す図である。
【図４】輪郭補正を行う輪郭補正回路を備えた撮像装置の概略構成を示すブロック図である。
【図５】輪郭補正回路４１３の従来の回路構成を示すブロック図である。
【図６】空間周波数領域において水平エッジ信号、垂直エッジ信号、斜めエッジ信号が占める領域を示す図である。
【図７】図６の矢印ａの部分における異常に大きな振幅のエッジ信号の生成例を示す図である。
【符号の説明】
【００３５】
１０１          輝度信号作成回路
１０２          水平バンドパスフィルタ
１０３          垂直バンドパスフィルタ
１０４          斜めバンドパスフィルタ
１０５〜１０７  ゲイン回路
１０８〜１０９  加算器
１１０          最大値検出回路
１１１          最小値検出回路
１１２〜１１３  ゲイン回路
１１４          選択回路
１１５          減算器
１１６          加重平均回路
１１７          ゲイン回路
１１８          加算器
４１３          輪郭補正回路
【図１】
2005142832.tif 000003
【図２−１】
2005142832.tif 000004
【図２−２】
2005142832.tif 000005
【図３】
2005142832.tif 000006
【図４】
2005142832.tif 000007
【図５】
2005142832.tif 000008
【図６】
2005142832.tif 000009
【図７】
2005142832.tif 000010